(57)【要約】      （修正有）【課題】保持面のさまざまな部分が基準面に対してある角度をなすときに、圧力の除去を最大にするよう構成された使用者保持面を提供する。【解決手段】使用者保持システム１０は、使用者保持装置１２と、使用者保持装置１２上に保持された使用者保持面１４またはマットレス１４とを含む。使用者保持装置１２は、下部フレーム１６、下部フレーム１６に結合された保持部１８またはリフト機構１８、および下部フレーム１６の上に保持部１８により移動可能なかたちで保持された上部フレーム２０を含む。リフト機構１８は、下部フレーム１６に対して上部フレーム２０を昇降させ、またトレンデレンブルグ体位や逆トレンデレンブルグ体位など、さまざまな向きの間で上部フレーム２０を移動させるように構成されている。【選択図】図１
2013078577.tif 000002
【特許請求の範囲】
【請求項１】
第一の保持セクションおよび第二の保持セクションを含む使用者保持面であって、
第一の表面と、
前記第一の表面と間隔をおいた第二の表面と、を備え、
前記第一の表面の前記第一の保持セクションは第一の長さであり、前期第二の表面の前記第一の保持セクションは第二の長さであり、前期第二の長さは前記第一の長さよりも長く、また前記第一の保持セクションは、前記第一の保持セクションが前記第二の保持セクションに対してある角度をなし中立状態にある第一の位置から、前記第一の保持セクションが実質的に前記第二の保持セクションと同一平面上にある第二の位置へ移動可能である、使用者保持面。
【請求項２】
前記第一の表面および前記第二の表面が連携してカバーを画定する、請求項１の使用者保持面。
【請求項３】
前記第一の保持セクションが前記第二の位置にあるとき、前記第二の表面の少なくとも一部分が圧縮状態にある、請求項１の使用者保持面。
【請求項４】
前記第一の保持セクションが前記第二の位置にあるとき、前記第二の表面の余分な長さが、前記第一の保持セクションと前記第二の保持セクションの交差部付近で寄せ集められる、請求項３の使用者保持面。
【請求項５】
余分な長さが、前記第二の表面と、前記第一の表面と前記第二の表面との間に延びる側面のうち少なくとも一つでの、少なくとも一つの折り目により寄せ集められる、請求項４の使用者保持面。
【請求項６】
前記第一の表面と前記第二の表面との間に延びる側面をさらに含み、前記側面の第一の保持セクションが、前記側面の前記第二の保持セクションの斜めの端部に結合するよう構成された斜めの端部を含む、請求項１の使用者保持面。
【請求項７】
前記側面の前記第一の保持セクションの斜めの端部が、前記側面の前記第二の保持セクションの斜めの端部と結合するとき、前記第一の保持セクションが、中立状態にある第二の保持セクションに対してある角度をなす、請求項６の使用者保持面。
【請求項８】
使用者保持面であって、
第一の保持セクションと、
第二の保持セクションと、を備え、
前記第一の保持セクションは、中立状態にある第二の保持セクションに対してある角度をなし、前記第一の保持セクションが、前記中立状態から、前記第一の保持セクションが実質的に前記第二の保持セクションと同一平面上にある第二の位置に移動するよう構成された使用者保持面。
【請求項９】
前記第一の保持セクションと前記第二の保持セクションのうち少なくとも一つの第一の部分の印象荷重によるたわみ特性が、前記第一の保持セクションおよび前記第二の保持セクションのうち少なくとも一つの第二の部分の印象荷重によるたわみ特性と異なる、請求項８の使用者保持面。
【請求項１０】
前記第一の保持セクションと前記第二の保持セクションのうち少なくとも一つの中に位置する少なくとも一つの流体袋をさらに備え、前記流体袋が流体供給からの流体を受け取るよう構成された、請求項８の使用者保持面。
【請求項１１】
前記少なくとも一つの流体袋が、前記第一の保持セクションが前記中立状態にあるときに第一の圧力となり、前記第一の保持セクションが前記第二の位置に移動したとき、第二の圧力となるよう構成された、請求項１０の使用者保持面。
【請求項１２】
少なくとも一つの流体袋が実質的に楕円の断面を持ち、前記第一の保持セクションと前記第二の保持セクションの交差点付近に位置する、請求項１１の使用者保持面。
【請求項１３】
第三の保持セクションをさらに備え、前記第二の保持セクションが前記第一の保持セクションと前記第三の保持セクションとの間に結合され、前記第一の保持セクションが使用者の上半身を保持するよう構成され、また前記第三の保持セクションが前記使用者の下肢を保持するよう構成された、請求項８の使用者保持面。
【請求項１４】
前記第一の保持セクションと前記第二の保持セクションが、前記第一の保持セクションが前記中立状態にある前記第二の保持セクションに対してある角度をなすよう成形された単一層の発泡体から成る、請求項８の使用者保持面。
【請求項１５】
前記第一の保持セクションが前記中立状態にある前記第二の保持セクションに対して１５°よりも大きい角度をなす、請求項９の使用者保持面。
【請求項１６】
使用者保持面であって、
第一の保持セクションと、
第二の保持セクションと、を備え、
前記第一の保持セクションが、第一の位置にある前記第二の保持セクションとある角度をなし、また前記第一の位置から、前記第一の保持セクションと第二の保持セクションが実質的に同一平面上にある第二の位置へと移動するよう構成されるように、前記第一の保持セクションおよび前記第二の保持セクションが形成され、前記第一の保持セクションと前記第二の保持セクションの間の境界面が、前記第一の位置で中立状態にあり、前記第二の位置で圧縮状態にある、使用者保持面。
【請求項１７】
前記第一の保持セクションと前記第二の保持セクションのうち少なくとも一つが発泡体から成り、前記第一の保持セクションと前記第二の保持セクションの交差部付近に少なくとも一つの逃げ加工を含む、請求項１６の使用者保持面。
【請求項１８】
前記第一の保持セクションが、前記第一の位置にある前記第二の保持セクションに対して、約３０°から約４５°の間の角度をなす、請求項１６の使用者保持面。
【請求項１９】
前記第一の保持セクションと前記第二の保持セクションのうち少なくとも一つが、凹部分と前記凹部分内にある複数の袋とを含む発泡体フレームを含む、請求項１６の使用者保持面。
【請求項２０】
前記第一の保持セクションと前記第二の保持セクションのうち少なくとも一つが、流体供給源からの流体を受け取るよう構成された少なくとも一つの流体袋を含む、請求項１６の使用者保持面。
【発明の詳細な説明】
【技術分野】
【０００１】
本開示は、一般に使用者保持面に関連する。さらに具体的には、これに限らないものの、例証的な一つの実施態様は、頭および胴の保持セクションが基準面に対してある角度をなすとき、その上の使用者を保持するよう構成された使用者保持面に関連する。
【発明の概要】
【発明が解決しようとする課題】
【０００２】
さまざまな使用者保持面が開発されてきたものの、依然として改善の余地が残されている。こうして、この技術分野においては、さらなる貢献の必要性が存続している。
【課題を解決するための手段】
【０００３】
例証的な一つの実施態様において、使用者保持面は、第一の保持セクションおよび第二の保持セクションを備える。第一の保持セクションと第二の保持セクションは、第一の保持セクションが、第一の位置にある第二の保持セクションとある角度をなすように形成され、第一の位置から第二の位置へと移動するよう構成されており、ここで第一の保持セクションと第二の保持セクションは実質的に同一平面上にある。第一の保持セクションと第二の保持セクションの間の境界面は、第一の位置で中立状態にあり、第二の位置で圧縮状態にある。
【０００４】
別の例証的な実施態様において、使用者保持面は、第一の保持セクションおよび第二の保持セクションを備える。第一の保持セクションは、中立状態にある第二の保持セクションに対してある角度をなす。第一の保持セクションは、中立状態から、第一の保持セクションが実質的に第二の保持セクションと同一平面上にある第二の位置に移動するよう構成されている。
【０００５】
別の例証的な実施態様において、第一の保持セクションおよび第二の保持セクションを含む使用者保持面は、第一の表面および第一の表面と間隔をおいた第二の表面を備える。第一の表面の第一の保持セクションは第一の長さであり、第二の表面の第一の保持セクションは第二の長さである。第二の長さは第一の長さよりも大きい。第一の保持セクションは、第一の保持セクションが第二の保持セクションに対してある角度をなし中立状態にある第一の位置から、第一の保持セクションが実質的に第二の保持セクションと同一平面上にある第二の位置へ移動可能である。
【０００６】
追加的な特徴は単独でも、または上記および請求項に列記され下記で詳述されるものを含む他のいかなる特徴と組み合わせても、特許性のある主題を構成し得る。別の特徴も、現時点で理解されている発明を実施するための最良の形態の模範例を示す例証となる実施形態の下記の詳細な説明を考察することにより当業者にとって明らかとなろう。
【０００７】
次に、図面の用例を参照するが、ここで類似の数字は、全体を通して同一または類似した要素を表す。
【図面の簡単な説明】
【０００８】
【図１】図１は、例証的な一つの実施態様による、使用者保持装置上で保持される使用者保持面を持つ使用者保持システムの斜視図である。
【図２】図２は、背もたれを傾けた状態の配置にあるカバーおよびマットレスコアを示す、図１の使用者保持面およびデッキの断面図である。
【図３】図３は、カバーの上部ティッキング、防火障壁、下部ティッキングと、マットレスコアとを示す、図１の使用者保持面の一部の断面側面図である。
【図４】図４は、少なくとも一つの斜めの端部を持つさまざまなセクションの側面を示す、例証的な一つの実施態様による図２のカバーの側面図である。
【図５】図５は、傾けた配置になるように互いに結合させた側面のさまざまなセクションを示す、図４のカバーの側面図である。
【図６】図６は、互いに結合された側面のさまざまなセクションを示し、曲げ点付近に寄せ集められた余分な材料を持ち実質的に平面の配置にある、図４のカバーの側面図である。
【図７】図７は、その内部に複数のリリーフカット（逃げ加工）が施された、傾けた配置にある例証的な一つの実施態様による、図２のマットレスコアの側面図である。
【図８】図８は、実質的に平面の配置にあるコアを示す、図７のコアの側面図である。
【図９】図９は、フレームおよび複数の袋を含むマットレスコアを示す、例証的な別の実施態様による、図１の使用者保持面の断面側面図である。
【図１０】図１０は、傾けた配置にあり、第一の圧力で曲げ点付近に配置された複数の楕円の袋を含む、例証的な別の実施態様による、図１の使用者保持面の断面側面図である。
【図１１】図１１は、第二の圧力での複数の楕円の袋と、曲げ点付近に寄せ集められた余分な材料とを持つ、実質的に平面の配置にある、図１０の使用者保持面の断面側面図である。
【発明を実施するための形態】
【０００９】
本開示は数多くの異なる形態をとりうる一方で、この開示の原理の理解を促進する目的で、ここで図面に示した実施態様への参照をし、またそれらを説明するために特定の言葉遣いを使用する。従って、本開示の範囲を限定することを意図するものではない。本明細書で説明した本開示の原理のさまざまな変更、説明した実施形態のさらなる修正、および任意のさらなる応用が意図されている。
【００１０】
本開示の例証的な一つの実施態様による使用者保持システム１０を図１〜１０に示す。使用者保持システム１０は、使用者保持装置１２と、使用者保持装置１２上に保持された使用者保持面１４またはマットレス１４とを含む。例証的な一つの実施態様において、使用者保持装置１２は病院用ベッドフレームであり、マットレス１４がその上に保持されている。意図されている一部の実施態様において、使用者保持装置１２は、ストレッチャー、手術台、車椅子、またはその他の使用者保持構造ともしうる。使用者保持装置１２は、図１に示すとおり、下部フレーム１６、下部フレーム１６に結合された保持部１８またはリフト機構１８、および下部フレーム１６の上に保持部１８により移動可能なかたちで保持された上部フレーム２０を含む。リフト機構１８は、下部フレーム１６に対して上部フレーム２０を昇降させ、またトレンデレンブルグ体位や逆トレンデレンブルグ体位など、さまざまな向きの間で上部フレーム２０を移動させるように構成されている。
【００１１】
上部フレーム２０は、図１に示すとおり、上部フレームベース２４、上部フレームベース２４に結合されたデッキ２６、および上部フレームベース２４とデッキ２６に結合された複数のアクチュエータ２７を含む。複数のアクチュエータ２７は、デッキ２６の少なくとも一部分を、上部フレームベース２４に対してさまざまな連接配置間で移動させるように構成されている。デッキ２６は、図２に示すとおり、腓腹セクション２８、大腿セクション３０、座セクション３２、ならびに頭および胴のセクション３４を含む。腓腹セクション２８および大腿セクション３０は、下肢保持セクションＬＬ１を画定する。頭および胴のセクション３４は、上半身保持セクションＵ１を画定する。座セクション３２は、座セクションＳ１を画定する。腓腹セクション２８、大腿セクション３０、および座セクション３２は、下半身保持セクションＬＢ１を画定する。少なくとも、腓腹セクション２８、大腿セクション３０、ならびに頭および胴のセクション３４は、相互に、かつ／あるいは上部フレームベース２４に対して移動可能である。例証的な一つの実施態様において、腓腹セクション２８、大腿セクション３０、座セクション３２、ならびに頭および胴のセクション３４は連携して、実質的に平面すなわち横たわった配置と椅子の配置との間で使用者保持装置１２を移動させる。例証的な別の実施態様において、腓腹セクション２８、大腿セクション３０、座セクション３２、ならびに頭および胴のセクション３４は連携して、実質的に平面すなわち横たわった配置と、傾いた、すなわち傾けた配置との間で使用者保持装置１２を移動させる。また別の例証的な実施態様において、頭および胴のセクション３４は、上部フレーム２０を貫通する基準面ＲＰ１に対して少なくとも約３０°の角度をなすように動く。
【００１２】
使用者保持面１４は、その上の使用者を保持し、さまざまな配置間でデッキ２０と一緒に動くように構成されている。使用者保持面１４は、図２〜１０に示すとおり、腓腹部分３６、大腿部分３８、座部分４０、ならびに頭および胴の部分４２を含み、これらはデッキ２６の対応するセクション上で保持されている。例証的な一つの実施態様において、使用者保持面１４は、図２および７〜９に示すとおり、非電動式（静止）表面である。別の例証的な実施態様において、使用者保持面１４は、図９〜１１に示すとおり、電動式（動的）表面であり、これは、表面の特性を変化させうる流体供給源（非表示）からの流体などの入力を受けるように構成されている。
【００１３】
使用者保持面１４は、図２および３に示すとおり、マットレスカバー４４およびマットレスコア４６を含む。意図された他の実施態様において、使用者保持面１４は、マットレスカバー４４に結合された温度および湿度を調節するトッパー（非表示）を含む。マットレスカバー４４は、マットレスコア４６を囲み、防火障壁４８、下部ティッキング５０または耐久性のある層５０、および上部ティッキング５２を含む。例証的な一つの実施態様において、防火障壁４８はカバー４４の最内層であり、上部ティッキング５２は最外層であり、また下部ティッキング５０は、防火障壁４８と上部ティッキング５２との間に位置し、上部ティッキング５２には結合されていない。下部ティッキング５０と上部ティッキング５２は、蒸気や空気を浸透させない。例証的な一つの実施態様において、上部ティッキング５２および下部ティッキング５０は、ポリウレタン被覆を施したナイロンから成り、下部ティッキング５０は、防火障壁４８に対して上部ティッキング５２の移動を促進するよう構成されている。その他の実施態様において、上部ティッキング５２および／または下部ティッキング５０は、空気および／または湿気浸透性でもよい。
【００１４】
マットレスコア４６は、１種類の材料、もしくは材料および／または装置の組合せから成りうる。電動式の面の場合は、マットレスコア４６は、流体を流体供給源（非表示）から受け入れ、流体袋５４内の流体の圧力を所定のレベルに維持する、その内部の少なくとも一つの流体袋５４を含む。意図されている一部の実施態様において、電動式の面は、図９に示すとおり、発泡体などの非電動式の構成要素を含みうる。非電動式の面の場合、マットレスコア４６は、単密度フォームなどの多孔質工学材料で構成される。意図されている一部の実施態様において、マットレスコア４６は、静止空気袋またはその内部に発泡体が含まれる静止空気袋、金属製バネおよび／またはその他の非電動式保持要素、あるいはそれらの組合せなど、少なくとも一つの袋５４を含む。意図されている一部の実施態様において、マットレスコア４６は、使用者の身体の比率の違いに応じて圧力の再配分を促進するよう構成された異なる保持特性を持つ複数のゾーンを含む。また、一部の実施態様において、マットレスコア４６は、NP100 Prevention Surface、AccuMax Quantum（登録商標） VPC Therapy Surface、およびNP200 Wound Surfaces（発売元Ｈｉｌｌ−Ｒｏｍ（登録商標））にあるものなどの異なる印象荷重によるたわみ（ＩＬＤ）特性を持つ、さまざまな発泡体の層および／またはセクションを含む。
【００１５】
マットレスカバー４４および／またはマットレスコア４６は、腓腹部分３６、大腿部分３８、ならびに頭および胴の部分４２など、さまざまな部分が基準面ＲＰ１とある角度をなすとき、圧力の除去を最大にするような多数の方法で構成しうる。圧力の除去を最大にする一つの方法は、マットレス１４が傾けた配置で中立状態または静止状態となるようにマットレス１４を設計する方法である。意図されている一部の実施態様において、マットレス１４は、さまざまなセクションおよび／またはさまざまなセクションの交差部での引張りおよび圧縮が最小になったとき、中立状態またはレスト状態にある。意図されている一部の実施態様において、マットレス１４は、さまざまなセクションの交差部に実質的に引張りまたは圧縮がないときに、中立状態または静止状態にある。
【００１６】
マットレスは、一般にマットレスが実質的に平面の配置にあるときに、圧力の除去が最大になるよう設計される。それらの場合に、使用者との境界面を構成する、上向き面ＵＦ１のさまざまな部分は、デッキの対応する部分に接触するよう構成された下向き面ＤＦ１の対応する部分と実質的に同じ長さである。使用者保持面１４が、傾いた、すなわち椅子の配置にあるとき、さまざまなセクションの上向き面ＵＦ１および下向き面ＤＦ１は、異なる長さである。例えば、例証的な一つの実施態様において、使用者保持面１４が傾いた配置にあるとき、頭および胴の部分４２の上向き面ＵＦ１（座部分３６と頭および胴の部分４２の交差部から胴体部分４２の端まで）の長さは、第一の長さＬ１であり、頭および胴の部分４２の下向き面ＤＦ１（座部分３６と頭および胴の部分４２の交差部から頭および胴の部分４２の端まで）は第二の長さＬ２であり、これは第一の長さＬ１よりも長い。別の実施例において、使用者保持面１４が傾いた配置にあるとき、腓腹部分３６の上向き面ＵＦ１（腓腹部分３６と大腿部分３８の交差部から腓腹部分３６の端まで）は第一の長さＬ１であり、腓腹部分３６の下向き面ＤＦ１（腓腹部分３６と大腿部分３８の交差部から腓腹部分３６の端まで）は、第二の長さＬ２であり、これは第一の長さＬ１よりも短い。
【００１７】
カバー４４は、異なる長さに対応する多数の方法で構成しうる。例証的な一つの実施態様において、座セクション４０と頭および胴のセクション４２の交差部など、カバー４４の少なくとも一つの部分は、上半身保持セクションＵ１および下半身保持セクションＬＢ１を覆うために必要な、材料の異なる長さに対応するように拡張／収縮するよう構成された材料を含む。別の例証的な実施態様において、腓腹部分３６、大腿部分３８、座部分４０、頭および胴の部分４２など、カバー４４の部分は、上向き面ＵＦ１の各部分と、対応する下向き面ＤＦ１が異なる長さをもつように、互いに独立して大きさが決められる。別の例証的な実施態様において、各部分は、材料の異なる長さに対応するように伸びる弾性材料を介して互いに接続できる。
【００１８】
別の例証的な実施態様において、カバー４４の余分な材料は、例えば、マットレス１４の曲げ点ＢＰ１で（すなわち、各部分が材料の異なる長さに対応するために互いに接続される部分で）、プリーツ加工、ギャザリング、または折り畳みにより寄せ集めることができる。意図された他の実施態様において、余分な材料を寄せ集めるために弾性ストラップ（非表示）が使用される。一つの実施例において、頭および胴の保持セクション４２の交差部付近での下向き面ＤＦ１上の余分な材料（または腓腹部分３６と大腿部分３８の交差部付近での上向き面ＵＦ１の材料）は、マットレス１４が実質的に平面の配置にあるときに寄せ集められ、マットレス１４が実質的に平面の配置から傾いた配置に変わるときに拡張するよう構成しうる。意図されている一部の実施態様において、余分な材料は、使用者の膝の裏など、境界面の圧力が比較的小さい場所で寄せ集められる。
【００１９】
また別の例証的な実施態様において、マットレス１４の側面は、それらがすなわち溶接や縫い合わせにより互いに結合されたとき、図４〜６に示すとおり、傾いた配置にあるときにマットレス１４の輪郭を模倣するように形成しうる。一つの実施例において、図４に示すとおり、腓腹部分３６ならびに頭および胴の部分４２は、一つの傾いたまたは斜めの端部で形成され、また大腿部分３８および座部分４０は、両端が傾いたもので形成される。意図されている一部の実施態様において、マットレス１４の側面は、上向き面ＵＦ１または下向き面ＤＦ１の一部として形成される。
【００２０】
マットレスコア４６は、腓腹部分３６、大腿部分３８、ならびに頭および胴の部分４２などのさまざまな部分が、基準面ＲＰ１とある角度をなすときに圧力の除去を最大にするような多数の方法で構成できる。非電動式のマットレスの例証的な一つの実施態様において、マットレスコア４６は、マットレス１４が中立状態にあるとき、マットレスコア４６の頭および胴のセクション４２が、基準面ＲＰ１に対して角度αをなし、また腓腹部分３６および大腿部分３８が基準面ＲＰ１に対してそれぞれ角度βおよびγをなすように成形された発泡体で構成される。意図されている一部の実施態様において、角度αは基準面ＲＰ１に対して約２５°から約４５°の間であり、角度βおよびγは基準面ＲＰ１に対して約１０°から２０°の間である。意図された他の実施態様において、マットレスコア４６は、角度α、βおよびγの大きさが基準面ＲＰ１に対して０°より大きくなるように成形される。成形したマットレスコア４６は、傾いた配置から実質的に平面の配置への移動にあたりマットレス１４の部分を補助する逃げ加工ＲＣ１を含む。意図されている一部の実施態様において、逃げ加工ＲＣ１は、マットレスコア４６の上向き面ＵＦ１および下向き面ＤＦ１のうち一方のみに位置し、マットレス１４が傾いた配置から実質的に平面の配置に移動するとき、拡張／圧縮するよう構成される。意図されている一部の実施態様において、逃げ加工ＲＣ１は、上向き面ＵＦ１と下向き面ＤＦ１の両方に位置する。意図されている一部の実施態様において、マットレスコア４６は、傾いた配置と実質的に平面の配置の間を移動するために引いたり押したりできる。
【００２１】
非電動式のマットレスの例証的な別の実施態様において、マットレスコア４６は、フレームＦＲ１および複数の袋ＢＬ１を含む。フレームＦＲ１は、比較的高いＩＬＤ（例えば、約６１のレーティング）を持つ発泡体から成る。フレームＦＲ１は、フレームＦＲ１のさまざまな部分、腓腹部分３６、大腿部分３８、座部分４０、ならびに頭および胴の部分４２が、マットレスコア４６が傾いた配置にあるときに中立状態または静止状態になるように、使用者保持面１４の曲げ点ＢＰ１で互いに連結されるように構成される。フレームＦＲ１は保持を提供し、マットレス１４の形状の維持に役立つ。例証的な一つの実施態様において、フレームＦＲ１は、マットレス１４のさまざまな部分を基準面ＲＰ１に対して角度α、βおよびγに維持するのに役立つ。フレームＦＲ１には、袋ＢＬ１がその内部に位置している凹部分がある。例証的な一つの実施態様において、袋ＢＬ１は、使用者がマットレス１４上に保持されているとき、袋ＢＬ１の列全体で空気圧が実質的に同じになるように袋ＢＬ１内の空気を再配分できるような、互いに流体連通した静止空気袋である。別の例証的な実施態様において、袋ＢＬ１は、流体供給源（非表示）から流体を受け取るよう構成しうる。
【００２２】
電動式マットレス１４の例証的な一つの実施態様において、マットレスコア４６は、一般的に管状の複数の流体袋５４を含み、その一部は実質的に丸い断面５４ａを持ち、また一部はくさび形の断面５４ｂを持つ。意図されている一部の実施態様において、流体袋５５ｂは楕円または卵形である。意図されている一部の実施態様において、流体袋５４は、くさび様の輪郭を形成するために、大きめの袋（非表示）上に配置された少なくとも一つの小さめの袋（非表示）を持ちうる。意図された他の実施態様において、マットレスコア４６はまた、流体袋５４ａおよび５４ｂを保持するフレームＦＲ１などの半剛体フレームを含む。両方のタイプの流体袋５４ａおよび５４ｂが所定圧力まで完全に膨張したとき、頭および胴の部分４２は、座部分４０に対してある角度をなし、使用者保持面は中立状態または静止状態となる。流体袋５４ｂが第二の所定圧力に収縮したとき、頭および胴の部分４２は実質的に座セクション４０と同一平面上にあり、また使用者保持面１４は実質的に平面の配置となる。流体袋５４ｂは、頭および胴の保持セクション４２が座部分４０と交差する場所など、さまざまなセクションが互いに交差する、マットレス１４の曲げ点ＢＰ１付近に位置する。一部の実施態様において、小さめの直径の袋（非表示）は、曲げ点ＢＰ１の内側付近に位置し、大きめの直径の袋（非表示）は、曲げの外側付近に位置する。
【００２３】
本開示のその他数多くの実施態様も想定される。例えば、第一の保持セクションおよび第二の保持セクションを含む使用者保持面は、第一の表面および第一の表面と間隔をおいた第二の表面を備える。第一の表面の第一の保持セクションは第一の長さであり、第二の表面の第一の保持セクションは第二の長さである。第二の長さは第一の長さよりも大きい。
【００２４】
別の実施例において、使用者保持装置は、第一の保持セクションおよび第二の保持セクションを含むコアを備える。コアは、第一の保持セクションが、中立状態にある第二の保持セクションに対してある角度をなすように形成される。第一の保持セクションは、中立状態から、第一の保持セクションが実質的に第二の保持セクションと同一平面上にある第二の位置に移動するよう構成されている。
【００２５】
別の実施例において、第一の保持セクションおよび第二の保持セクションを含む使用者保持面は、内室を画定するカバーおよび内室内に配置可能なコアを備える。コアは、第一の保持セクションが第一の位置にある第二の保持セクションに対して初期的にある角度をなすように形成される。第一の保持セクションは、第一の位置から、第一の保持セクションと第二の保持セクションが実質的に同一平面上にある第二の位置に移動するよう構成される。第一の保持セクションと第二の保持セクションの間の境界面は、第一の位置では中立状態で、第二の位置で圧縮状態にある。
【００２６】
別の実施例において、使用者保持面は、第一の保持セクションおよび第二の保持セクションを備える。第一の保持セクションと第二の保持セクションは、第一の保持セクションが、第一の位置にある第二の保持セクションとある角度をなすように形成され、第一の位置から第二の位置へと移動するよう構成されており、ここで第一の保持セクションと第二の保持セクションは実質的に同一平面上にある。第一の保持セクションと第二の保持セクションの間の境界面は、第一の位置では中立状態で、第二の位置で圧縮状態にある。
【００２７】
別の実施例において、使用者保持面は、第一の保持セクションおよび第二の保持セクションを備える。第一の保持セクションは、中立状態にある第二の保持セクションに対してある角度をなす。第一の保持セクションは、中立状態から、第一の保持セクションが実質的に第二の保持セクションと同一平面上にある第二の位置に移動するよう構成されている。
【００２８】
別の実施例において、第一の保持セクションおよび第二の保持セクションを含む使用者保持面は、第一の表面および第一の表面と間隔をおいた第二の表面を備える。第一の表面の第一の保持セクションは第一の長さであり、第二の表面の第一の保持セクションは第二の長さである。第二の長さは第一の長さよりも大きい。第一の保持セクションは、第一の保持セクションが第二の保持セクションに対してある角度をなし中立状態にある第一の位置から、第一の保持セクションが実質的に第二の保持セクションと同一平面上にある第二の位置へ移動可能である。
【００２９】
本明細書に記載した一切の理論、動作メカニズム、証明、または所見は、本開示の原理の理解をさらに高めることを意図しており、いかなる方法でも本開示をそうした理論、動作メカニズム、実例となる実施態様、証明、または所見に依存するものとすることを意図していない。上記の説明において、好ましいという用語は、そのように記載した特徴がより望ましいことを示すが、それにもかかわらず、それが必要なわけではなく、その記載のない実施形態も本開示の範囲に入るものと意図されることが理解されるべきであり、その範囲は以下の請求項で定義される。
【００３０】
請求項を読む際に、単数形（ａ，ａｎ）、「少なくとも一つ」、「少なくとも一部分」などの単語が使用されているとき、請求項にそれに反する内容が具体的に述べられていない限り、請求項を一つの項目だけに限定することを意図したものではないことが理解されるべきである。「少なくとも一部分」および／または「一部分」という用語が使用されているとき、その項目には、これに反して具体的に記載のない限り、一部分および／または項目全体が含まれる。
【００３１】
一部の施態様のみを表示し説明しており、本明細書、または下記の請求項のいずれかによりに定義したとおり、本開示の精神を逸脱しない、考えられるすべての変更、修正、態様、組み合わせ、原理、変形物、および等価物が保護されることが望ましいことが理解されるべきである。本開示の実施形態について、図面および上述の説明で詳細に図示・説明してきたが、これらは、実例となるものとして考慮されるべきであり、本発明を網羅するものではなく、本開示を開示した正確な形態に限定することを意図したものではない。追加的な変更、修正および変形物が、当業者にとって明白となりうる。また、発明の複数の態様や原理について提示してきたが、上記の各種の実施態様に照らすと、これらは組み合わせで利用する必要はなく、また発明の態様や原理のさまざまな組み合わせが可能である。
【図１】
2013078577.tif 000003
【図２】
2013078577.tif 000004
【図３】
2013078577.tif 000005
【図４】
2013078577.tif 000006
【図５】
2013078577.tif 000007
【図６】
2013078577.tif 000008
【図７】
2013078577.tif 000009
【図８】
2013078577.tif 000010
【図９】
2013078577.tif 000011
【図１０】
2013078577.tif 000012
【図１１】
2013078577.tif 000013
【外国語明細書】
2013078577.tif 000014
2013078577.tif 000015
2013078577.tif 000016
2013078577.tif 000017
2013078577.tif 000018
2013078577.tif 000019
2013078577.tif 000020
2013078577.tif 000021
2013078577.tif 000022
2013078577.tif 000023
2013078577.tif 000024
2013078577.tif 000025
2013078577.tif 000026
2013078577.tif 000027
2013078577.tif 000028
2013078577.tif 000029
2013078577.tif 000030
2013078577.tif 000031
2013078577.tif 000032
2013078577.tif 000033
2013078577.tif 000034
2013078577.tif 000035
2013078577.tif 000036
2013078577.tif 000037
2013078577.tif 000038
2013078577.tif 000039
2013078577.tif 000040
2013078577.tif 000041